(57)【要約】【課題】高所作業用に適用することができ、高所の天井の点検口の開閉作業を安全に行うことができる点検口開閉具を提供する。【解決手段】点検口開閉具１は、操作棒２の延出方向の先端に着脱可能に連結される開閉具ユニット３を有する。点検口開閉具１では、点検口２０１ａの扉１００を閉める作業時に、開閉具ユニット３のローラ１３と引掛け部材１５との間で点検口２０１ａの扉１００を挟持した状態を維持したままで保持する。この状態で、操作棒２を上昇させる操作により、点検口２０１ａの扉１００を閉める作業を行うことができる。【選択図】      図１
2019105052.tif 000002
【特許請求の範囲】
【請求項１】
天井に配置される点検口の一端側の第１端部に前記点検口を開閉する扉の回動支持部、前記点検口の他端側の第２端部に前記扉の表面から床方向に突出したロックピンがそれぞれ配置され、
前記ロックピンの回動により前記扉を解放可能にする第１位置と前記扉を前記天井に係止する第２位置との間で移動する係止板を有する係止機構の前記ロックピンを回動して前記係止板を前記第１位置と前記第２位置へ選択的に移動させる点検口開閉具であって、
前記天井へ向かって延びる操作棒と、
前記操作棒の延出方向の先端に着脱可能に連結される開閉具ユニットと、を具備し、
前記開閉具ユニットは、前記操作棒の延出方向と直交する方向に延設された固定アームと、
前記固定アームの先端に取り付けられ、前記扉に当接させる第１係合部材と、
前記固定アームに対して前記操作棒と同軸上に回転可能に設けられた回動アームと、
前記回動アームに設けられ、前記扉に対して前記第１係合部材と反対側の面に当接可能な第２係合部材と、
前記第１係合部材と前記第２係合部材との間で前記扉を挟持する挟持位置と、前記挟持位置から前記第２係合部材を離間させる待機位置の方向に前記第２係合部材を回転可能に支持する回動アーム支持機構と、
前記挟持位置と前記待機位置とで前記回動アームをそれぞれ係脱可能に係止し、前記回動アームを回転停止状態に規制する回動アーム回動規制機構と、
前記回動アーム回動規制機構に設けられ、前記回動アームの係止を解除する係合解除機構と、
前記ロックピンに対して係脱可能に係合し、前記ロックピンを回動操作する回動機構と、を備え、
前記扉の開閉操作時には前記挟持位置で前記回動アーム回動規制機構により前記回動アームを前記回転停止状態に規制した状態で保持する点検口開閉具。
【請求項２】
前記第１係合部材は、前記扉に転動可能に当接するローラを有する
請求項１に記載の点検口開閉具。
【請求項３】
前記回動アーム支持機構は、前記挟持位置で前記回動アームを係脱可能に係止する第１係合部と、前記待機位置で前記回動アームを係脱可能に係止する第２係合部とを有し、
前記係合解除機構は、前記挟持位置で前記第１係合部、前記待機位置で前記第２係合部をそれぞれ係合解除する共通の係合解除部を有する
請求項１または２に記載の点検口開閉具。
【請求項４】
前記係合解除部は、前記開閉具ユニットの下方に牽引する紐状の操作部材を有する
請求項３に記載の点検口開閉具。
【請求項５】
前記回動機構は、
前記操作棒の前記先端に同軸に設けられ、前記操作棒と離間する側の先端にねじ回し部を有する軸体と、
前記ロックピンよりも大きな内径を有し、前記軸体をスライド可能に挿通した円筒状のカバー部材と、
前記カバー部材と前記操作棒との間に設けられ、前記操作棒に対して前記カバー部材を前記軸体の前記操作棒側の基端から前記先端へ向かう方向へ付勢する第２ばね部材と、
を有する請求項１に記載の点検口開閉具。
【請求項６】
前記カバー部材は、透明材料で形成された円筒体の上端部に弾性部材を有し、
かつ前記ねじ回し部の位置合わせ用の目印部を有する
請求項５に記載の点検口開閉具。
【発明の詳細な説明】
【技術分野】
【０００１】
本発明は、例えば天井裏内に配線ケーブル等の各種の配線を敷設する際などに天井の点検口の扉を開閉する点検口開閉具に関する。
【背景技術】
【０００２】
商用施設等の高所、例えば４〜６ｍ程度の天井裏内に配線ケーブル等の各種の配線を敷設する場合には、天井の一部に設けられた点検口の扉を開いてその作業を行っている。この高所の点検口の扉の開閉作業は、通常は足場や高所作業台を使用して行われている。この足場や高所作業台を使用することなく、地上から点検口の扉を開閉操作する開閉装置が従来から開発されている。例えば、特許文献１に示すように細長い金属性の２本の操作棒を使用する開閉装置がある。
【先行技術文献】
【特許文献】
【０００３】
【特許文献１】特開２０１７−１４５６３７号公報
【発明の概要】
【発明が解決しようとする課題】
【０００４】
しかしながら、上記従来構成の開閉装置では、点検口の扉の開閉作業中、例えば点検口の扉を閉める作業中に扉が天井に対して約４５°の傾斜角度に傾いた状態で、扉の支持機構の回動ピンが抜け、点検口から扉が落ちてしまう可能性がある。
【０００５】
本発明は上記事情に着目してなされたもので、その目的は、高所作業用に適用することができ、高所の天井の点検口の扉の開閉作業を安全に行うことができる点検口開閉具を提供することにある。
【課題を解決するための手段】
【０００６】
本発明の一局面の態様は、天井に配置される点検口の扉を開閉する点検口開閉具である。前記点検口は、一端側の第１端部に点検口を開閉する扉の回動支持部、前記点検口の他端側の第２端部に前記扉の表面から床方向に突出したロックピンがそれぞれ配置されている。前記ロックピンの回動により前記扉を解放可能にする第１位置と前記扉を前記天井に係止する第２位置との間で移動する係止板を有する係止機構の前記ロックピンを回動して前記係止板を前記第１位置と前記第２位置へ選択的に移動させる。前記点検口開閉具は、操作棒と、開閉具ユニットと、を具備する。前記操作棒は、前記天井へ向かって延びる。前記開閉具ユニットは、前記操作棒の延出方向の先端に着脱可能に連結される。さらに、前記開閉具ユニットは、固定アームと、第１係合部材と、回動アームと、第２係合部材と、回動アーム支持機構と、回動アーム回動規制機構と、係合解除機構と、回動機構と、を備える。前記固定アームは、前記操作棒の延出方向と直交する方向に延設されている。前記第１係合部材は、前記固定アームの先端に取り付けられ、前記扉に当接させる。前記回動アームは、前記固定アームに対して前記操作棒と同軸上に回転可能に設けられている。前記第２係合部材は、前記回動アームに設けられ、前記扉に対して前記第１係合部材と反対側の面に当接可能である。前記回動アーム支持機構は、前記第１係合部材と前記第２係合部材との間で前記扉を挟持する挟持位置と、前記挟持位置から前記第２係合部材を離間させる待機位置の方向に前記第２係合部材を回転可能に支持する。前記回動アーム回動規制機構は、前記挟持位置と前記待機位置とで前記回動アームをそれぞれ係脱可能に係止し、前記回動アームを回転停止状態に規制する。前記係合解除機構は、前記回動アーム回動規制機構に設けられ、前記回動アームの係止を解除する。前記回動機構は、前記ロックピンに対して係脱可能に係合し、前記ロックピンを回動操作する。そして、前記扉の開閉操作時には前記挟持位置で前記回動アーム回動規制機構により前記回動アームを前記回転停止状態に規制した状態で保持する。
【０００７】
好ましくは、前記第１係合部材は、前記扉に転動可能に当接するローラを有する。
【０００８】
好ましくは、前記回動アーム支持機構は、前記挟持位置で前記回動アームを係脱可能に係止する第１係合部と、前記待機位置で前記回動アームを係脱可能に係止する第２係合部とを有する。前記係合解除機構は、前記挟持位置で前記第１係合部、前記待機位置で前記第２係合部をそれぞれ係合解除する共通の係合解除部を有する。
【０００９】
好ましくは、前記係合解除部は、前記開閉具ユニットの下方に牽引する紐状の操作部材を有する。
【００１０】
好ましくは、前記回動機構は、軸体と、円筒状のカバー部材と、第２ばね部材と、を有する。前記軸体は、前記操作棒の前記先端に同軸に設けられ、前記操作棒と離間する側の先端にねじ回し部を有する。前記円筒状のカバー部材は、前記ロックピンよりも大きな内径を有し、前記軸体をスライド可能に挿通している。前記第２ばね部材は、前記カバー部材と前記操作棒との間に設けられ、前記操作棒に対して前記カバー部材を前記軸体の前記操作棒側の基端から前記先端へ向かう方向へ付勢する。
【００１１】
好ましくは、前記カバー部材は、透明材料で形成された円筒体の上端部に弾性部材を有し、かつ前記ねじ回し部の位置合わせ用の目印部を有する。
【発明の効果】
【００１２】
高所作業用に適用することができ、高所の天井の点検口の扉の開閉作業を安全に行うことができる点検口開閉具を提供することができる。
【図面の簡単な説明】
【００１３】
【図１】図１は、本発明の実施形態に係る点検口開閉具全体の側面図である。
【図２】図２は、実施形態の点検口開閉具の開閉具ユニットを示す側面図である。
【図３】図３は、実施形態の点検口開閉具の開閉具ユニットの第２係合部材を挟持位置方向に向けて回動アームを回転させた状態を示す側面図である。
【図４】図４は、一般的な点検口の扉の構造を示す説明図である。
【図５】図５は、図３の開閉具ユニットの回動機構の要部を切断した状態を示す縦断面図である。
【図６】図６は、図３の開閉具ユニットの回動機構を操作した状態を示す縦断面図である。
【図７】図７は、実施形態の点検口開閉具による点検口の扉を開ける作業時の開閉具ユニットのセット状態を説明するための斜視図である。
【図８】図８は、実施形態の点検口開閉具による点検口の扉を閉める作業時のセット状態を説明するための斜視図である。
【図９】図９は、実施形態の点検口開閉具の使用時に第２係合部材を第１係合部材との間で扉を挟持する位置に移動させた状態を示す斜視図である。
【図１０】図１０は、実施形態の点検口開閉具による点検口の扉を閉める作業時に扉と天井との角度が４５°付近まで扉を閉めた状態を示す斜視図である。
【図１１】図１１は、実施形態の点検口開閉具による点検口の扉を閉める作業時に扉を天井に接近させた位置で第２係合部材を待機位置の方向に回動させた状態を示す斜視図である。
【図１２】図１２は、実施形態の点検口開閉具による点検口の扉を閉める作業時に点検口の扉を閉めた位置で扉のロックピンをロックする作業を説明するための斜視図である。
【発明を実施するための形態】
【００１４】
以下、本発明の好ましい実施形態について図面を参照して説明する。図１は、本発明の実施形態に係る点検口開閉具全体の側面図である。図２は、実施形態の点検口開閉具の開閉具ユニットを示す側面図である。図３は、実施形態の点検口開閉具の開閉具ユニットの第２係合部材を挟持位置方向に向けて回動アームを回転させた状態を示す側面図である。図４は、一般的な点検口の扉の構造を示す説明図である。図５は、図３の開閉具ユニットの回動機構の要部を切断した状態を示す縦断面図である。図６は、図３の開閉具ユニットの回動機構を操作した状態を示す縦断面図である。図７は、本実施形態の点検口開閉具による点検口の扉を開ける作業時の開閉具ユニットのセット状態を説明するための斜視図である。図８は、本実施形態の点検口開閉具による点検口の扉を閉める作業時のセット状態を説明するための斜視図である。図９は、本実施形態の点検口開閉具の使用時に第２係合部材を第１係合部材との間で扉を挟持する位置に移動させた状態を示す斜視図である。図１０は、本実施形態の点検口開閉具による点検口の扉を閉める作業時に扉と天井との角度が４５°付近まで扉を閉めた状態を示す斜視図である。図１１は、本実施形態の点検口開閉具による点検口の扉を閉める作業時に扉を天井に接近させた位置で第２係合部材を待機位置の方向に回動させた状態を示す斜視図である。図１２は、本実施形態の点検口開閉具による点検口の扉を閉める作業時に点検口の扉を閉めた位置で扉のロックピンをロックする作業を説明するための斜視図である。
【００１５】
本実施形態の点検口開閉具１は、図４に示すように例えば商用施設等の高所の天井２００の天井面２０１の一部に配置される点検口２０１ａの扉１００を開閉する場合に使用される。通常、天井面２０１の点検口２０１ａは、扉１００により閉じられている。
【００１６】
扉１００は、例えば、天井２００の約５０センチ四方の矩形状、本実施形態では正方形状の点検口２０１ａの内側に嵌め込まれ、点検口２０１ａを塞いでいる。扉１００は、点検口２０１ａとほぼ同形状の矩形状、本実施形態では正方形状の例を示している。一般的に、扉１００は、点検口２０１ａの１辺（一端側の第１端部）に設けたヒンジ（回動支持部）３００を介して、天井２００と連結されている。そして、扉１００は、ヒンジ３００が設けられている辺と反対側の端辺（他端側の第２端部）に点検口２０１ａを開閉する扉１００の係止機構１１０を備えている。
【００１７】
係止機構１１０は、扉１００を扉表面１０１から図示しない裏面まで厚み方向に貫通したロックピン１１２と、扉１００の裏面側に突出したロックピン１１２の後端に固定される係止板１１４とを有している。ロックピン１１２の扉表面１０１側の先端には、例えば直線状の溝１１６が設けられる。溝１１６は、例えば、マイナスドライバーを用いて、ロックピン１１２を回動させるために設けられる。係止板１１４は、図４に示すように、例えば、長方形の板である。係止板１１４の一端側は、ロックピン１１２の後端に固定される。
【００１８】
続いて、係止機構１１０の動作について図４を用いて説明する。扉１００に係止機構１１０が無い場合には、扉１００は、その自重によりヒンジ３００を回動中心として重力方向に回動する。これにより、扉１００は、天井面２０１に対して鉛直に垂れ下がる。係止機構１１０は、扉１００を天井２００と平行な状態に維持するためのものである。
【００１９】
係止機構１１０の係止板１１４は、ロックピン１１２の回動動作と連動して、図４において点線で示す第１位置１１４ａと一点鎖線で示す第２位置１１４ｂに選択的に移動可能である。係止板１１４は、ロックピン１１２を中心として３６０度回転可能にすることもできる。
【００２０】
すなわち、第１位置１１４ａは、係止板１１４の回動先端部が扉１００と重なる位置である。言い換えれば、係止板１１４が第１位置１１４ａにある場合、扉１００は、天井２００に対して係止されていない状態、いわゆる開錠状態である。このため、扉１００は、上述のように重力により垂れ下がり、点検口２０１ａが開く。
【００２１】
一方、第２位置１１４ｂは、係止板１１４の回動先端が天井２００側にせり出した位置である。すなわち、扉１００を天井２００と平行になる位置で支持した状態で、係止板１１４が第２位置１１４ｂにある場合、扉１００は、天井２００の縁２０２によって係止され、天井２００と平行な状態で保持される（施錠状態）。この状態で、点検口２０１ａは扉１００によって塞がれる。
【００２２】
次に、本実施形態の点検口開閉具１の構成について説明する。本実施形態の点検口開閉具１は、図１に示すように操作棒２と、開閉具ユニット３と、を具備する。操作棒２は、例えば、複数の円筒部材を伸縮自在に連結した棒状部材である。この操作棒２は、床から扉１００が設けられた天井２００までの高さに合わせて、伸縮量を調整することができる。操作棒２の材料としては、軽量であって、ある程度の強度を有していることが好ましい。操作棒２の材料としては、例えば、樹脂材料やＦＲＰ等を採用することができる。
【００２３】
本実施形態では、操作棒２の基端部は、三脚４に連結されている。そして、操作棒２は、三脚４に支持された状態で、天井２００へ向かって延ばして使用される。操作棒２の延出方向の先端には、先端部材２ａが設けられている。操作棒２の先端部材２ａは、開閉具ユニット３に着脱可能に連結される。そして、開閉具ユニット３の中心線Ｏ１は、操作棒２の中心線Ｏ２と同一線上に配置されている。
【００２４】
開閉具ユニット３は、固定アーム５と、第１係合部材６と、回動アーム７と、第２係合部材８と、回動アーム支持機構９と、図示しない回動アーム回動規制機構と、図示しない係合解除機構と、回動機構１０と、を備える。開閉具ユニット３の下端部には、操作棒２の差し込み口１１と、この差し込み口１１の周壁に装着された固定ノブ１２とが設けられている。そして、差し込み口１１に操作棒２の先端部材２ａが挿入された状態で、固定ノブ１２を回転操作することにより、例えば固定ねじにより操作棒２の先端部材２ａが、開閉具ユニット３に着脱可能に連結される。
【００２５】
固定アーム５は、基端部側が開閉具ユニット３の中心線Ｏ１上に配置され、先端部側は、操作棒２の延出方向と直交する方向に延設されている。この固定アーム５の先端部には、第１係合部材６が取り付けられている。第１係合部材６は、扉１００に転動可能に当接するローラ１３を有する。ローラ１３は、例えばゴムなどの弾性材料や、樹脂材料で形成されている。ローラ１３の支軸１３ａは、Ｕ字状の支持脚１４を介して固定アーム５の上面に固定されている。
【００２６】
回動アーム７は、固定アーム５に対して操作棒２と同軸上に回転可能に設けられている。回動アーム７には、第２係合部材８が設けられている。この第２係合部材８は、ほぼＬ字状の引掛け部材１５を有する。引掛け部材１５は、回動アーム７の回動中心から離れた部分、例えば回動アーム７の一端部に固定されている。
【００２７】
また、回動アーム７は、回動アーム支持機構９により、開閉具ユニット３の中心線Ｏ１を中心に回転可能に支持されている。そして、第２係合部材８の引掛け部材１５は、回動アーム７の回転により、図１、図２に示すようにローラ１３とは反対側に向いた待機位置と、図３に示すようにローラ１３に接近する方向に向いた挟持位置とに切換え可能である。ここで、第２係合部材８の引掛け部材１５は、挟持位置に移動された状態では、図９、図１０に示すように第１係合部材６のローラ１３との間で扉１００を挟持可能になっている。このとき、引掛け部材１５は、扉１００に対して第１係合部材６のローラ１３と反対側の面に当接される。
【００２８】
また、回動アーム支持機構９には、図示しない回動アーム回動規制機構と、係合解除機構とが内蔵されている。回動アーム回動規制機構は、例えば係合爪などの係止部材と、この係合爪と係脱可能に係合する受け部材と、係合爪を受け部材に係合させる方向に付勢するばね部材とを有する。そして、引掛け部材１５が挟持位置に移動した場合と、引掛け部材１５が待機位置に移動した場合には、ばね部材の付勢力により係合爪を受け部材に係合させた状態で保持する。これにより、引掛け部材１５が挟持位置に移動した場合と、引掛け部材１５が待機位置に移動した場合とで回動アーム７を回転停止状態に規制する。
【００２９】
なお、回動アーム支持機構９は、挟持位置で回動アーム７を係脱可能に係止する図示しない第１係合部と、待機位置で回動アーム７を係脱可能に係止する第２係合部とを有する。係合解除機構は、挟持位置で第１係合部、待機位置で第２係合部をそれぞれ係合解除する共通の係合解除部を有する。
【００３０】
係合解除部は、開閉具ユニット３の下方に牽引する引掛け部回転用紐（紐状の操作部材）１６を有する。そして、引掛け部回転用紐１６を下方に向けて引っ張り操作することでばね部材の付勢力に抗して係合爪を受け部材から離間させる係合解除方向に移動させる。これにより、回動アーム回動規制機構による回動アーム７の係止を解除する。
【００３１】
また、回動機構１０は、扉１００のロックピン１１２を回動操作するピン操作部材２１を有する。このピン操作部材２１は、開閉具ユニット３と操作棒２との連結時に、操作棒２と一体的に回転可能に連結される回転軸体２２を有する。例えば、開閉具ユニット３と操作棒２との連結時には、操作棒２の先端部材２ａが図示しない継ぎ手部材を介して回転軸体２２に一体に回転可能に連結される。
【００３２】
回転軸体２２は、同心状に配置され、外径が異なる３段の軸部（大径部２２ａと、中間軸部２２ｂと、先端軸部２２ｃ）を有する。大径部２２ａは、回転軸体２２の基端部（図５、図６中で下側）に配置され、最も大径な軸部である。中間軸部２２ｂは、この大径部２２ａの先端側（図５、図６中で上側）に配置され、大径部２２ａよりも小径な軸部である。したがって、大径部２２ａと中間軸部２２ｂとの間には、後述するばね受けとなる段差部２８が形成されている。
【００３３】
先端軸部２２ｃは、中間軸部２２ｂの先端側（図５、図６中で上側）に配置され、中間軸部２２ｂよりも小径な軸部である。回転軸体２２は、例えば、細長い金属性の剛体で形成されている。先端軸部２２ｃには、ロックピン１１２に対して係脱可能に係合し、ロックピン１１２を回動操作するねじ回し部２３が設けられている。ねじ回し部２３は、上述したピン１１２の溝１１６（図４参照）に嵌合する形状を有している。本実施形態においては、ねじ回し部２３は、マイナスドライバーの先端と同じ直線状の形状をしている。なお、扉１００に設けられたピン１１２を回動可能であれば、ねじ回し部２３の形状は、マイナスドライバーの先端部の形状に限らない。
【００３４】
回転軸体２２の外周部には、例えば透明材料で形成された円筒状の保護カバー（カバー部材）２４が配設されている。この保護カバー２４は、回転軸体２２と同心状に配置された２つの円筒部材（第１円筒体２５と第２円筒体２６）を有する。第１円筒体２５は、中間軸部２２ｂの上部と対応する位置に配置されている。中間軸部２２ｂの下部側の外周面には、中間軸部２２ｂの外周に巻き付けられるように圧縮ばねである第２ばね部材２７が配置されている。第２ばね部材２７は、上端部が第１円筒体２５と当接し、下端部が大径部２２ａと中間軸部２２ｂとの間の段差部２８と当接している。これにより、第２ばね部材２７は、第１円筒体２５の下端部と、段差部２８との間に装着され、第１円筒体２５を中間軸部２２ｂの上側に向かう方向へ付勢する。
【００３５】
第１円筒体２５の上端部は、先端軸部２２ｃ側まで延出されている。第１円筒体２５の上部外周面には、第２円筒体２６が回転軸体２２の軸方向に移動可能に装着されている。この第２円筒体２６には、径方向に貫通するねじ孔を有する。この第２円筒体２６のねじ孔には、固定ねじ２９が螺挿されている。そして、この固定ねじ２９によって第１円筒体２５に対する第２円筒体２６の軸方向の固定位置が任意の位置に調整される。
【００３６】
第２円筒体２６の第１円筒体２５に対する軸方向の固定位置は、扉１００のロックピン１１２の扉表面１０１からの突出量に応じて調整可能である。好ましくは、第１円筒体２５の先端面が第２円筒体２６の先端面よりもロックピン１１２の突出量だけ窪む位置で第２円筒体２６が第１円筒体２５に固定される。これにより、ロックピン１１２を第２円筒体２６の内側に挿入させることができ、第１円筒体２５内のねじ回し部２３とロックピン１１２の溝１１６とを嵌合するためのガイドとして機能する。
【００３７】
回動機構１０のピン操作部材２１は、待機時には第２ばね部材２７のばね力により、図６の待機位置で保持される。このとき、ねじ回し部２３は、第１円筒体２５の内部側に移動した状態で保持される。
【００３８】
また、扉１００の開閉作業時には、保護カバー２４の第２円筒体２６の先端面が天井２００の扉１００に押し付けられ、第２円筒体２６の先端面に操作棒２の方向に押圧する軸方向の押圧力が加わる。このとき、図５に示すように、第２ばね部材２７の付勢力に抗して保護カバー２４が下方向（第２ばね部材２７が圧縮される方向）にスライド移動する。そのため、ねじ回し部２３が第１円筒体２５の先端面よりも突出する。ねじ回し部２３の移動量は、第２ばね部材２７の圧縮量によって変わる。
【００３９】
一方、第２円筒体２６の先端面を扉１００から離すと、上述の軸方向の力が無くなる。そのため、第２ばね部材２７の復元力により保護カバー２４は、図６に示す待機位置に戻る。
【００４０】
なお、保護カバー２４は、透明材料で形成された第２円筒体２６の上端部にゴムなどの弾性部材の保護リング３０を有し、かつねじ回し部２３の位置合わせ用の目印部３１を有する構成にしてもよい。位置合わせ用の目印部３１は、例えば、透明材料で形成された保護カバー２４の外周面に軸方向に沿って直線状の赤色のラインを引いたものが好ましい。
【００４１】
次に、上記構成の点検口開閉具１の作用について説明する。本実施の形態の点検口開閉具１の使用時には、まず、操作棒２の先端部材２ａが開閉具ユニット３の差し込み口１１に挿入された状態で、固定ノブ１２を回転操作することにより、操作棒２と開閉具ユニット３とが着脱可能に連結される。また、必要に応じて操作棒２の基端部を三脚４に連結させて操作棒２を三脚４で支持させる。
【００４２】
この状態で、高所の天井２００の天井面２０１の点検口２０１ａの扉１００を開く作業が行われる。この作業時には、開閉具ユニット３は、図１、図２に示すように第２係合部材８の引掛け部材１５がローラ１３とは反対側に向いた待機位置にセットされる。
【００４３】
次に、図７に示すように先端に開閉具ユニット３が取り付けられた操作棒２を、天井２００の扉１００へ向けて伸ばす。続いて、開閉具ユニット３のピン操作部材２１の保護カバー２４を扉１００のロックピン１１２に向けて位置合わせする。このとき、保護カバー２４の目印部３１の赤色のラインを目安に第１円筒体２５内のねじ回し部２３のマイナス方向を扉１００のロックピン１１２の溝１１６のマイナス方向に合わせる。
【００４４】
その後、第１円筒体２５内のねじ回し部２３がロックピン１１２の溝１１６に係合された状態で、操作棒２を介して開閉具ユニット３を図７中で左回り方向に回すことで、係止機構１１０の係止板１１４を第１位置１１４ａに移動させる。これにより、扉１００は、開錠される。このとき、開閉具ユニット３のローラ１３は、扉１００に下から当接させた状態で保持される。
【００４５】
さらに、扉１００の開錠後、扉１００を下から開閉具ユニット３のローラ１３で支えた状態のままで、操作棒２をゆっくりと下げる。この操作により、扉１００は、開閉具ユニット３のローラ１３と固定アーム５とに当接させて支える。この状態で、図８に示すように扉１００が重力により垂れ下がり、点検口２０１ａが開く位置まで移動させる。最後に、図８に示すように点検口２０１ａの扉１００を開いた開扉位置で、操作棒２をさらに下げることで、扉１００から開閉具ユニット３を取り外す。以上の操作により、図８に示すように点検口２０１ａの扉１００を開く開扉作業が終了する。
【００４６】
また、開いている点検口２０１ａの扉１００を閉める作業時には、先端に開閉具ユニット３が取り付けられた操作棒２を図８に示すように開いている天井２００の扉１００の下端部へ向けて伸ばす。続いて、開閉具ユニット３の固定アーム５に扉１００の下端部を当接させた状態で、ローラ１３を扉１００の図８中で右側面に当てる。
【００４７】
続いて、開閉具ユニット３の引掛け部回転用紐１６を下方に向けて引っ張り操作する。これにより、引掛け部材１５を待機位置から挟持位置に移動させる。このとき、図９に示すようにローラ１３と引掛け部材１５との間に扉１００が入るように操作する。
【００４８】
続いて、開閉具ユニット３のローラ１３と引掛け部材１５との間で扉１００を挟持した図９の状態を維持したまま、操作棒２をゆっくりと上げる。そして、図１０に示すように点検口２０１ａの扉１００と天井２００との角度が４５°付近まで扉１００を閉める。このとき、扉１００を下に引きながら操作棒２を上昇させることで、扉１００を上向きに回動させて閉める操作を行う。
【００４９】
その後、図１１に示すように扉１００が天井２００の点検口２０１ａに近づいた状態で、開閉具ユニット３の引掛け部回転用紐１６を下方に向けて引っ張り操作する。これにより、引掛け部材１５を挟持位置から待機位置に移動させる。このとき、ローラ１３によって扉１００を下から支えるように操作する。
【００５０】
続いて、図１２に示すように開閉具ユニット３のピン操作部材２１の保護カバー２４を扉１００のロックピン１１２に向けて位置合わせする。このとき、保護カバー２４の目印部３１の赤色のラインを目安に第１円筒体２５内のねじ回し部２３のマイナス方向を扉１００のロックピン１１２の溝１１６のマイナス方向に合わせる。
【００５１】
その後、第１円筒体２５内のねじ回し部２３がロックピン１１２の溝１１６に係合された状態で、操作棒２を介して開閉具ユニット３を図１２中で右回り方向に回すことで、係止機構１１０の係止板１１４を第２位置１１４ｂに移動させる。これにより、扉１００は、施錠されてロックされる。最後に、操作棒２をさらに下げることで、扉１００から開閉具ユニット３を取り外す。以上の操作により、点検口２０１ａの扉１００を閉める閉扉作業が終了する。
【００５２】
上記構成の本実施の形態の点検口開閉具１では、点検口２０１ａの扉１００を閉める作業時に、開閉具ユニット３のローラ１３と引掛け部材１５との間で点検口２０１ａの扉１００を挟持した図９の状態を維持したままで保持する。この状態で、操作棒２を上昇させる操作により、点検口２０１ａの扉１００を閉める作業を行うことができる。そのため、点検口２０１ａの扉１００を閉める作業中に扉１００が天井２００に対して約４５°の傾斜角度に傾いた場合であってもローラ１３と引掛け部材１５との間で点検口２０１ａの扉１００を挟持した図９の状態を維持することができる。したがって、点検口２０１ａの扉１００を閉める作業中に点検口２０１ａから扉１００が落下することを防止することができる。そのため、高所作業用に適用することができ、高所の天井２００の点検口２０１ａの扉１００の開閉作業を安全に行うことができる点検口開閉具１を提供することができる。
【００５３】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５４】
１…点検口開閉具、２…操作棒、２ａ…先端部材、３…開閉具ユニット、４…三脚、５…固定アーム、６…係合部材、７…回動アーム、８…係合部材、９…回動アーム支持機構、１０…回動機構、１１…差し込み口、１２…固定ノブ、１３…ローラ、１３ａ…支軸、１４…支持脚、１５…引掛け部材、１６…引掛け部回転用紐、２１…ピン操作部材、２２…回転軸体、２２ａ…大径部、２２ｂ…中間軸部、２２ｃ…先端軸部、２３…ねじ回し部、２４…保護カバー、２５…第１円筒体、２６…第２円筒体、２７…ばね部材、２８…段差部、２９…固定ねじ、３０…保護リング、３１…目印部、１００…扉、１０１…扉表面、１１０…係止機構、１１２…ロックピン、１１４…係止板、１１４ａ…第１位置、１１４ｂ…第２位置、１１６…溝、２００…天井、２０１…天井面、２０１ａ…点検口、２０２…縁、３００…ヒンジ、Ｏ１…中心線、Ｏ２…中心線。
【図１】
2019105052.tif 000003
【図２】
2019105052.tif 000004
【図３】
2019105052.tif 000005
【図４】
2019105052.tif 000006
【図５】
2019105052.tif 000007
【図６】
2019105052.tif 000008
【図７】
2019105052.tif 000009
【図８】
2019105052.tif 000010
【図９】
2019105052.tif 000011
【図１０】
2019105052.tif 000012
【図１１】
2019105052.tif 000013
【図１２】
2019105052.tif 000014